(57)【特許請求の範囲】
【請求項１】
紐が挿入される開口である開口端を有する外筒部と、
前記外筒部内部を挿通して軸方向に前記開口端の外部側に露出する位置にまでせり上がり可能な外形略筒状の押し込み部であって該押し込み部の内径が少なくとも端部近傍において開先状に形成される押し込み部と、
前記押し込み部に対して軸方向に相対移動可能に該押し込み部の内部に挿通され前記外筒部の前記開口端より外部に露出可能な開先形状を遊端において有する複数のバネ部が基端において基台に接合される押さえ部と、
前記押し込み部が前記外筒部の前記開口端より外部の終端位置にあるとき該複数のバネ部の開先形状を閉じさせる方向に付勢する付勢構造と
を有することを特徴とする紐先端部取付具。
【請求項２】
紐が挿入される開口である開口端を有する外筒部であって該外筒部の内径が少なくとも前記開口端近傍において開先状に形成される外筒部と、
前記外筒部に対して軸方向に相対移動可能に該外筒部の内部に挿通され前記開口端より外部に露出可能な開先形状を遊端において有する複数のバネ部が基端において基台に接合される押さえ部と、
前記押さえ部の前記基台が前記外筒部の前記開口端と反対側の終端位置にあるとき該複数のバネ部の開先形状を閉じさせる方向に付勢する付勢構造と
を有することを特徴とする紐先端部取付具。
【請求項３】
請求項1もしくは２記載の紐先端部取付具において、前記バネ部の先端に突起を設けることを特徴とする紐先端部取付具。
【請求項４】
請求項１乃至３のうち１項記載の紐先端部取付具において、アクセサリを含む付加物を脱着できる構造を前記外筒部もしくは前記押さえ部においてさらに備えることを特徴とする紐先端部取付具。
【請求項５】
前記付勢構造の少なくとも一部として前記外筒部の内部に配置されるバネを用いたことを特徴とする請求項１乃至４のうちの１項記載の紐先端部取付具。
【発明の詳細な説明】
【技術分野】
【０００１】
本発明は、靴紐等の紐の先端に飾り等を付けるための取付具に関するものである。
【背景技術】
【０００２】
現在、老弱男女を問わず非常に多くの靴が販売されており、実用のみならず各種のおしゃれ用の靴も普及している。さらに、このような靴に色々な装飾品を取り付けておしゃれを楽しむことも多いが、靴紐にまで装飾品を付けている例は少ない。
【０００３】
一方、靴紐に類似した衣料品における紐状のものとしては、パーカやスウェット、レインウエアのフード等に付ける紐がある。これらは抜けおちないよう端末を丸く縛るくらいで、おしゃれな飾りを付けている例は殆ど無い。
【０００４】
上記靴紐用のおしゃれな装飾品としては特許文献１に開示されるものがある。ここに開示される技術思想は、装飾部品をリングによって連結したゴムチューブを靴紐先端に差し込むものである。
【０００５】
靴紐先端に自在着脱できるため、いろいろな装飾具を付け替えてオシャレを楽しめる点は有利性をもたらす可能性はあるものの、ゴムチューブ差し込み式のために靴紐先端部の紐通し部が円筒状にまとめられていることが望ましい等、紐先端部の形状や太さにかなりの制限が出てしまう怖れがある。また、装身具が抜け落ちないようにするためには、紐先端外径よりゴムチューブ内径を若干小さくするため装身具取付にはかなりの力を必要とし、各種装身具の付け替えは簡単ではないと考えられる。
【０００６】
更に、雨天時には雨滴がゴムチューブと紐先端差し込み部との間に染み込んで、ゴムチューブが抜け落ちてしまう恐れがある。また、ゴムチューブの経年劣化によっても抜け落ちてしまう恐れがある。
【０００７】
また、特許文献１に開示される技術思想は靴紐用の装飾具に限定されており、ゴムチューブでの取り付けのためかパーカやスウェット、レインウエアのフード紐に取り付ける装飾具への応用には触れられていない。
【先行技術文献】
【特許文献】
【０００８】
【特許文献１】登録実用新案第３０９７８５３号公報
【発明の概要】
【発明が解決しようとする課題】
【０００９】
本発明は上記の従来技術上の諸問題を解決しようとするものであり、紐先端部の形状や太さにできるだけ制限されず、かつ取り付けが簡単な紐先端部取付具を提供することを課題とする。また、水濡れや振動衝撃によって離脱しないことも課題である。
【００１０】
更に、靴紐ばかりでなくパーカやレインウエアのフードに付いているような紐の先端にも着脱できることも課題である。また更に、紐先端取付具によってアクセサリ等の各種の付加物を紐先端に容易に着脱でき、靴紐等の紐穴通しに支障を来さないようにすることも課題である。
【課題を解決するための手段】
【００１１】
上記のような各課題を解決するために、本発明に係る紐先端部取付具においては、請求項１の如く複数のバネ状押さえ部材によって紐先端部を押さえる構造を採用することによって、紐先端部の太さ、形態の違いにかかわらず紐先端をしっかり押さえることができる。
【００１２】
また、請求項２の如く、バネ先端部に突起を付加する構成を採用することによって紐先端部をしっかり喰い付き抑えるため抜け落ちることがない。
【００１３】
更に、請求項３の如く、本発明に係る紐先端部取付具はアクセサリ等の付加物を脱着できる構造を有することにより、個々の付加物に本発明に係る紐先端部取付具を装着しなくとも、付加物に簡単な脱着具を付ければ簡単に紐先端部に付加物を装着することができる。
【発明の効果】
【００１４】
上記構成を有する本発明によれば、紐先端部の形状や太さにできるだけ制限されず、かつ取り付けが簡単な紐先端部取付具を提供することが可能となり、各種の靴紐の先端にアクセサリ等の付加物を簡単に装着／脱着することができる。
【００１５】
また、紐先端部の形状や寸法に制限されないという特性を生かし、フードを締める紐等の先端部にもアクセサリ等の付加物を取り付けることができ、新しい装身具とすることも可能である。
【００１６】
さらに、紐先端部に一旦本発明の紐先端取付具を取り付けておけば、各種の付加物を簡単に着脱することができ、アクセサリのような飾りばかりでなく、光反射体を取り付ければ交通事故の防止にも寄与することが可能となり広い応用が可能となる。
【図面の簡単な説明】
【００１７】
【図１】本発明の一実施形態に係る紐先端取付具の組立断面図と構成を示す概略図である。
【図２Ａ】本発明の一実施形態に係る紐先端取付具の取付動作の説明図である。
【図２Ｂ】本発明の一実施形態に係る紐先端取付具の取付動作の説明図である。
【図２Ｃ】本発明の一実施形態に係る紐先端取付具の取付動作の説明図である。
【図３】本発明の一実施形態に係る紐先端取付具を靴ひもの先端に取り付けた場合の概略図である。
【図４】本発明の別の実施形態に係る紐先端取付具の構成と取付動作を示す概略図である。
【図５】本発明の他の実施形態に係る紐先端取付具の構成と取付動作を示す概略図である。
【図６】本発明の実施形態に係る紐先端取付具のバネ状押さえ部材のバネ部先端の各種形状を示す概略図である。
【発明を実施するための形態】
【００１８】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００１９】
図１は本発明の一実施形態に係る紐先端取付具の構成を示す概略図である。（ａ）はその斜視図、（ｂ）はその縦断面図である。図１の実施例においては、紐先端部取付具１００は、外筒１、押し込み部材２、バネ状紐押さえ部材３、スプリング４を備えて構成される。紐先端部取付具１００の一端には、付加物取付具５を取付けることができる。各構成品の材質は、各種の金属または各種の合成樹脂、あるいは両者を混在して用いてもよい。
なお、外筒１にはアクセサリ等の付加物取付具５を取り付けるため、外周にわたって突起１ａが取付けられもしくは設けられている。外筒１の下部内側はネジ切りがしてあり、バネ状押さえ部材３の下部外周のネジ切りと螺号できるように形成されている。
【００２０】
図２Ａ〜２Ｃは、本発明の一実施形態に係る紐先端取付具を紐先端に取り付ける動作の説明図である。図２Ａでは紐先端取付具１００の押し込み部材２を指先等で押し込んだ状態で、バネ状紐押さえ部材３の遊端の基端部３ａ１から外側に開く形状に形成される。そのバネ部３ａは該部材３の中心から外側に開く方向及び内側に向けて閉じる方向に動かせる弾力性を持った構造となっており、押し込み部材２が押し込まれるとバネ部３ａは広く開いた状態となり、この開いた部分に紐６を挿入することができる。図２Ｂは押し込み部材２の押し込みを離した状態で、スプリング４によって押し込み部材２が図中矢印方向に付勢されてせり上がる。すると基端部３ａ１が押し込み部材との内壁から押圧されるために、バネ状紐押さえ部材３のバネ部３ａは押し込み部材の中心に押し付けられるように付勢される。こうして、該バネ部３ａの突起が紐６の先端をしっかりと抑え、装着することができる。
【００２１】
一方、本発明の一実施形態に係る紐先端取付具を紐先端から取り外すときは、図２Ａのように押し込み部材２を図中矢印方向に押してやれば基端部３ａ１への押し込み部材との内壁からの押圧から解放される。遊端部の本来の開先形状に戻ろうとすることからバネ部３ａが外側に広がることになる。これにより、紐先端から紐先端取付具を簡単に外すことができ、靴の紐穴通しに支障を生じることがない。
【００２２】
本発明の上記のごとき構成により、バネ状紐押さえ部材３の先端が大きく開くため、紐先端の太さや大きさ、形状が変わっても広く対応することができ、おしゃれな靴に採用されているような帯状の皮ひもにも取り付けることができる。
【００２３】
図２Ｃは紐６の先端に外筒１、押し込み部材２、バネ状紐押さえ部材３、スプリング４を取り付けた後、付加物としてタッセルを付けた付加物取付具５に外筒１を挿入した状態を示している。付加物取付具５の内側には溝５ａがあり、外筒１の突起１ａと嵌合して抜け落ちを防止する。図２Ｃにおいては、付加物取付具５に付加物としてタッセル７を付加した例を示している。付加物としては、上記のような装飾物はもちろんのこと、後述するように安全や癒しに資する付加物を各種取り付けることができる。この場合、付加物取付具５を外筒に挿入する構成でも、あるいは双方を装着もしくは連結する構成でもよい。
【００２４】
図３は本発明の一実施形態に係る紐先端取付具を靴ひもの先端に取り付けた例を示している。向かって右の靴紐先端にはタッセルを、左側には反射球を付けた例である。タッセルのようなお洒落ばかりでなく、車のライトを反射する反射球を付ければ交通安全にも資することができる。
【００２５】
図４は、本発明の別の実施形態に係る紐先端取付具の構成と紐取付動作を示す概略図であり、（ａ）はその斜視図、（ｂ）（ｃ）は縦断面図である。図４の実施例では、外筒４１、スプリング４２、バネ状紐押さえ部材４３、底板４４、付加物取付部材４５から構成されている。図２の実施例と同じく各構成品の材質は各種の金属あるいは各種の合成樹脂、あるいは両者を混在して用いてもよい。
【００２６】
外板４１の下部内側面にはネジ切りがしてあり、底板４４の外周のネジ切りに適合している。また、バネ状紐押さえ部材４３の芯材下部はネジとなっており、該ネジ径は底板４４の中心の穴より小となっている。
【００２７】
同図４（ａ）では、底板４４の穴４３ｈから飛びだしているバネ状紐押さえ部材４３のネジ部４３ｅを押し込むことでバネ状紐押さえ部材４３の先端が外筒４１より飛び出してバネ先端が拡がる。この拡がった部分に紐６を差し込み、バネ状紐押さえ部材４３のネジ部４３ａの押し込みを離して解放すると、同図４（ｃ）に示すごとく、スプリング４２の弾力によりバネ状紐押さえ部材４３は外筒４１の内部に引き込まれる方向に付勢されると同時に、バネ部４３ａは紐６をしっかりと押さえこむ方向に付勢される。
【００２８】
図４の実施例の付加物取付部材４５は、バネ状紐押さえ部材４３の下部のネジ部４３ｅに適合したナットにリング等が付いた形状をしており、光反射小球４６が付いた例である。
【００２９】
図５は、本発明の他の実施形態に係る紐先端取付具の構成と紐取り付け動作を示す概略図であり、（ａ）はその斜視図、（ｂ）（ｃ）は縦断面図である。図５の実施例では、先端へなだらかに径が小となる鐘楼型をした外筒５１とバネ状押さえ部材５２、ネジ５３、付加物取付部材５４から構成されている。図２および図４の実施例と同じく各構成品の材質は各種の金属あるいは各種の合成樹脂、あるいは両者を混在して用いてもよい。
【００３０】
また、外筒５１の外部にはピン５１ａが外側に突出しており（（ａ）では図示を省略する）、該外筒５１の内壁面下部にはネジ切りがしてあり、ネジ５３のネジと螺合し得る。付加物取付部材５４の内径は外筒５１の外径より大となっており、ピン５１ａに適合した切込み５４ａが切り込まれている。
【００３１】
同図５（ａ）では、ネジ５３を回り下げた状態で、バネ状紐押さえ部材５２は外筒５１の内径が大きい部分即ち鐘楼型の上方絞り側部分でない部分に位置するためバネ状押さえ部５２ａは広がっており、該拡がった部分に紐６を挿入した後、ネジ５３を締めていくとバネ状紐押さえ部材５２は外筒５１の中を上昇するとともにバネは狭まり、紐６をしっかりと押さえこむ。
【００３２】
図５の実施例は付加物取付部材５４に、装飾品のタッセル５５を付加した例で、外筒５１のピン５１ａに付加取付部材５４の切込み５４ａが嵌合される。
【００３３】
上記説明においては、バネ状紐押さえ部材３、４３、５２のバネ部３ａ、４３ａ、５２ａの先端はかぎ状の突起になっていて紐をしっかり抑え込む例を説明してきたが、バネ部の先端突起形状としては図６の平面図６１、側面図６２に示すように各種の形状が考えられる。これらはすべて本発明の技術思想に含まれるものである。
【００３４】
また上記説明のバネ状紐押さえ部材３、４３、５２のバネ部３ａ、４３ａ、５２ａが４本の例で説明してきたが、２，３，４・・・と複数本であってよいのは当然である。
【００３５】
上記図１から図５を用いて説明してきたように、紐先端部取付具をバネ状紐押さえ部材で紐先端に取り付ける構成は上記３つの例以外にも色々考えられるが、それらはすべて本発明の技術思想に含まれるものである。
【００３６】
また、簡単構成のため図示は省略するが、紐先端取付具と付加物取付部材との接合方法としては上記両者に強力磁石を取り付け互いの磁気吸引力によって接合する等、紐先端取付具と付加物取付具・部材との接合構成も上記４例以外にも種々考えられるが、それらも全て本発明の発明思想に含まれるものである。
【００３７】
更に、付加物としてタッセル及び反射球を例にとって説明したが、各種の装身具はもとより、香料袋、お守り、鈴の様な音の出る飾り、発光体等各種の付加物を付加することができる。
【産業上の利用可能性】
【００３８】
本発明の応用として靴紐の先端に装飾具を取り付ける例に付いて説明してきたが、本発明の特徴である紐先端の太さや大きさ形状にかかわらず取付具は靴紐ばかりでなく、パーカやレインウエアのフードに付いているような紐の先端にも取り付けることができるため、新しいおしゃれとして発展する可能性がある。また、付加物としては装飾品ばかりでなくアロマ材や殺虫剤を付加することにより癒しや虫除け等の新しい用途が広がる可能性がある。
【００３９】
さらに、付加物として反射体や発光体を付加することにより、交通安全にも資することができる。特に子供用の靴紐の先端などに取り付けるに最適である。
【符号の説明】
【００４０】
１…外筒、１ａ…突起、２…押し込み部材、３…バネ状紐押さえ部材、３ａ…バネ部、４…スプリング、５…付加物取付具、５ａ…溝、６…紐、７…タッセル、４１外筒、４２…スプリング、４３…バネ状紐押さえ部材、４４…底板、４５…付加物取付部材、４６…光反射小球、５１…外筒、５１ａ…ピン、５２…バネ状紐押さえ部材、５３…ネジ、５４…付加物取付部材、５４ａ…切り込み、５５…タッセル
【要約】
【課題】
紐先端部の形状や太さにできるだけ制限されず、かつ取り付けが簡単な紐先端部取付具を提供すること。また、紐先端取付具によってアクセサリ等の各種の付加物を紐先端に容易に装着／脱着（取り付け／取り外し）できるようにすること。
【解決手段】
本発明に係る紐先端取付具においては、バネ状取付具によって各種の先端構造を有する紐先端に容易に取り付けることが可能となる。また該紐先端取付具を付加物取付具が容易に装着／脱着できる構造とすることにより紐先端の簡単に付加物を装着／脱着することができる。
【選択図】図１【図１】
0005619264.tif 000002
【図２Ａ】
0005619264.tif 000003
【図２Ｂ】
0005619264.tif 000004
【図２Ｃ】
0005619264.tif 000005
【図３】
0005619264.tif 000006
【図４】
0005619264.tif 000007
【図５】
0005619264.tif 000008
【図６】
0005619264.tif 000009